(57)【要約】【課題】複数個の宝石類を、セラミックあるいは超硬金属製の基材に、確実かつ容易に保持固定することができるようにした宝石類保持構造体を提供する。【解決手段】セラミックあるいは超硬金属より硬度の低い金属体１に、装着する宝石類８の数に対応した複数個の保持孔を設け、これらの各保持孔に宝石類８を挿入し、かつ該保持孔の周部を塑性変形させて金属体１に宝石類８を保持する。そして、複数の宝石類８を保持した金属体１を、セラミックあるいは超硬金属からなる基材５に設けた保持凹部６に装着し、その後、金属体１および基材５の側方から軸体９を嵌挿することによって、金属体１と基材５とを連結する。【選択図】図５
0003136526.tif 000002
【実用新案登録請求の範囲】
【請求項１】
セラミックあるいは超硬金属より硬度の低い金属体に、装着する宝石類の数に対応した複数個の保持孔を設け、
前記各保持孔に宝石類を挿入し、かつ該保持孔の周部を塑性変形させて前記金属体に宝石類を保持し、
複数の宝石類を保持した前記金属体を、セラミックあるいは超硬金属からなる基材に設けた保持凹部にて保持したことを特徴とする宝石類保持構造体。
【請求項２】
前記基材と前記金属体とに嵌挿される軸体にて、前記保持凹部に前記金属体を保持したことを特徴とする請求項１記載の宝石類保持構造体。
【請求項３】
前記基材の前記保持凹部に前記金属体を圧着することにより保持したことを特徴とする請求項１記載の宝石類保持構造体。
【請求項４】
請求項１〜３いずれか１項記載の宝石類保持構造体をバンドの駒に用いたことを特徴とする時計バンド。
【請求項５】
請求項１〜３いずれか１項記載の宝石類保持構造体を外装ケースに用いたことを特徴とする腕時計。
【請求項６】
請求項１〜３いずれか１項記載の宝石類保持構造体を少なくとも一部に設けたことを特徴とする装身具。
【考案の詳細な説明】
【技術分野】
【０００１】  本考案は、セラミックあるいは超硬金属に複数の宝石類を保持する構造の宝石類保持構造体、および、その宝石類保持構造体を用いた時計バンド，腕時計，装身具に関する。
【背景技術】
【０００２】  従来、宝石類を基材に装着固定するには、通常、基材に爪部を設け、この爪部を宝石類と係合するように変形し、基材に宝石類を保持固定したり、あるいは、特許文献１に記載されているように、宝石類を、介在部材を介して基材にカシメ固定したりする構造が採用されている。【０００３】  また、特許文献２に記載されているように、宝石類を筒状体などにて保持し、保持した状態で一部を折り曲げるなどして、宝石類を保持した筒状体などを基材の取付け孔に嵌めて圧着固定する構造も知られている。【０００４】  特許文献２に記載の構造では特許文献１に記載の構造に比べて、保持が確実ではあるが、部品数が多く、部品の構造、その加工が複雑になり、小さな宝石類あるいは基材には、そのまま適用することには課題がある。さらに、多数の宝石類を基材に保持させる構造のものには、部品点数に応じた手間と時間がかかることになる。【０００５】  また、近年、セラミックあるいは超硬金属を、宝石類を保持する基材として使用する要望が大きくなってきている。
【特許文献１】実公平１−２２５１０号公報
【特許文献２】特開２００３−８８４０８号公報
【考案の開示】
【考案が解決しようとする課題】
【０００６】  セラミックあるいは超硬金属の装身具への利用、特に、高級品とされる時計などの技術分野において、バンドあるいは時計の側などにセラミックあるいは超硬金属を用いることは、これらセラミックや超硬金属が有する独特の質感、あるいは錆びにくく、劣化しにくい特性が、高級品としての要求に合致したものとなる。【０００７】  ところが、セラミックあるいは超硬金属を宝石類保持構造体の基材として用いることの技術的課題の一つに、その加工性の問題がある。すなわち、セラミックあるいは超硬金属は細かな加工がしにくいということである。成型されたセラミックあるいは超硬金属に対して、クラックなどを生ぜずに小さな孔やエッジの付いた溝などを加工することは容易ではない。【０００８】  例えば、時計バンドの駒は、一般装身具の中でも、個々のパーツが小さく、小さくなればなる程、保持部分の加工が難しく、また複数個の小型の宝石類を保持させようとすると、さらに保持が容易でなくなる。【０００９】  そこで本考案は、複数個の宝石類を、セラミックあるいは超硬金属からなる基材に対して、確実かつ容易に保持固定することができるようにした宝石類保持構造体、および、その宝石類保持構造体を用いた時計バンドおよび腕時計ならびに装身具を提供することを目的とする。
【課題を解決するための手段】
【００１０】  前記目的に鑑み、本考案の宝石類保持構造体は、セラミックあるいは超硬金属より硬度の低い金属体に、装着する宝石類の数に対応した複数個の保持孔を設け、前記各保持孔に宝石類を挿入し、かつ該保持孔の周部を塑性変形させて前記金属体に宝石類を保持し、複数の宝石類を保持した前記金属体を、セラミックあるいは超硬金属からなる基材に設けた保持凹部にて保持したことを特徴とする。【００１１】  また、前記基材と前記金属体とに嵌挿される軸体にて、前記保持凹部に前記金属体を保持したことを特徴とする。【００１２】  また、前記基材の前記保持凹部に前記金属体を圧着することにより保持したことを特徴とする。【００１３】  さらに、時計バンドとして、前記宝石類保持構造体をバンドの駒に用いたことを特徴とする。【００１４】  また、腕時計として、前記宝石類保持構造体を外装ケースに用いたことを特徴とする。【００１５】  また、装身具として、前記宝石類保持構造体を少なくとも一部に設けたことを特徴とする。
【考案の効果】
【００１６】  本考案によれば、セラミックあるいは超硬金属からなる基材には加工が簡単な単純な形状の保持凹部を設けておき、かつ基材とは別体の複数の保持孔を設けた金属体に、保持孔の少なくとも一部を塑性変形させるという簡単な手法にて宝石類を保持し、この保持したセット体を保持凹部にて保持させることにより、宝石類保持構造体として完成させることができる。【００１７】  このため、セラミックあるいは超硬金属からなる基材に対して、複数個の宝石類が装着された小型の部品として提供することができる。【００１８】  このようなセラミックあるいは超硬金属が基材となる本宝石類保持構造体は、特に、ユーザの腕などに直接的に触れる時計バンド，時計の側，装身具に実施して効果が顕著である。
【考案を実施するための最良の形態】
【００１９】  以下に、本考案の好適な実施の形態を図面に基づいて説明する。
図１は本考案の好適な実施の形態である宝石類保持構造体における金属体を示し、（ａ）は平面図、（ｂ）は側面図であり、図２は本実施の形態の宝石類保持構造体における基材を示し、（ａ）は平面図、（ｂ）は側面図である。【００２０】  図１において、１は、セラミックあるいは超硬金属より低い硬度でかつ加工のし易い、例えばステンレスなどの金属材からなる金属体、２は、金属体１に凹設され、イミテーションを含む宝石類が装着される複数の保持孔、３は金属体１表面における各保持孔２周部に複数立設されたカシメ用の突起部、４は金属体１の両側部に形成された凹状の軸体受け部である。【００２１】  図２において、５はセラミックあるいは超硬金属からなる基材、６は、基材５の中央部に形成され、金属体１を装着することが可能なスペースを有する保持凹部、７は、基材５の両側を貫通し、かつ保持凹部６を通る軸体受け孔である。【００２２】  図３は金属体に宝石類を装着するときの状態を示す拡大斜視図であり、保持孔２は装着される宝石類８の数だけ金属体１に設けられ、上部開口側から宝石類８の底部が挿入される。【００２３】  図４は金属体に宝石類を装着した状態を示す断面図であり、保持孔２に挿入された後、保持孔２周部の突起部３をカシメ治具（図示せず）にて塑性変形（Ａ部）して、突起部３にて宝石類８の周囲を係止する。この状態で宝石類８は金属体１に保持される。このようにして複数の宝石類８全部を保持孔２に保持する。【００２４】  図５は本宝石類保持構造体の組付け前の分解斜視図であり、本宝石類保持構造体としては、前記のようにして宝石類８が装着／保持された金属体１と、基材５と、一対の軸体９とからなる。【００２５】  そして、装着／保持された金属体１を基材５の保持凹部６に入れ、その後、一対の軸体９を、それぞれ基材５の一方側の軸体受け孔７から挿入し、金属体１の凹状の軸体受け部４を通して、基材５の他方側の軸体受け孔７に嵌挿していく。ここで、軸体９と金属体１あるいは基材５とを、強固な嵌合状態である寸法に設定しておくことにより、軸体９によって金属体１が基材５に保持される。【００２６】  図６は組立完了後の本宝石類保持構造体を示す斜視図である。【００２７】  なお、前記実施の形態では、軸体９を用いて金属体１と基材５とを連結したが、金属体１と基材５とを直接嵌合あるいは圧着させることにより、両者を連結することも考えられ、連結構造としては各種の構造を採用することができる。【００２８】  また、保持孔２周部に突起部３を設けずに、保持孔２周部を塑性変形させることで宝石類８を強固に保持することができる金属体１の材料，材質の選択、あるいは構造にすることも考えられる。【００２９】  また、軸体９も、本実施の形態のような単なる円柱状のものの他、多角形状のもの、あるいはコイルバネを内蔵した円筒体からなるバネ棒なども採用することができる。【００３０】  さらに、前記各部材における要素部における数あるいは形状などは、前記実施の形態の構成に限定されない。【００３１】  また、宝石類保持構造体の使用用途についても、宝石類を具備した各種宝飾品，装身具は無論のこと、時計バンドにおけるバンドの駒、あるいは腕時計の外装ケースとして用いることもできる。【００３２】  上述したように、本実施の形態によれば、セラミックあるいは超硬金属からなる基材５に、加工が簡単な単純な保持凹部６を形成加工しておき、この基材５とは別体で、複数の保持孔２が容易に形成加工することができる金属からなる金属体１を用意し、保持孔２の少なくとも一部を塑性変形させるという簡単な手法にて宝石類８を保持して、この保持セット体を保持凹部６にて保持させれば宝石類保持構造体が完成する。【００３３】  このため、セラミックあるいは超硬金属からなる基材５に対して、複数個の宝石類８が装着された小型の部品として提供することができる。
【産業上の利用可能性】
【００３４】  本考案は、装身具などにおいて、イミテーションを含む宝石類をセラミックあるいは超硬金属に対して容易に保持させることができることから、身体に着ける各種の用具に適用され、また多様な意匠展開を図ることも可能である。
【図面の簡単な説明】
【００３５】
【図１】本考案の好適な実施の形態である宝石類保持構造体における金属体を示し、（ａ）は平面図、（ｂ）は側面図である。
【図２】本実施の形態の宝石類保持構造体における基材を示し、（ａ）は平面図、（ｂ）は側面図である。
【図３】本実施の形態において金属体に宝石類を装着するときの状態を示す拡大斜視図である。
【図４】本実施の形態において金属体に宝石類を装着した状態を示す断面図である。
【図５】本実施の形態の宝石類保持構造体における組付け前の分解斜視図である。
【図６】組立完了後における本実施の形態の本宝石類保持構造体を示す斜視図である。
【符号の説明】
【００３６】１  金属体
２  保持孔
３  カシメ用の突起部
４  軸体受け部
５  基材
６  保持凹部
７  軸体受け孔
８  宝石類
９  軸体
【図１】
0003136526.tif 000003
【図２】
0003136526.tif 000004
【図３】
0003136526.tif 000005
【図４】
0003136526.tif 000006
【図５】
0003136526.tif 000007
【図６】
0003136526.tif 000008